Podtech/llm-jp-corpus-v4-ja_patent huggingface dataset:
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
基板上に蓄熱層を形成する工程と、前記蓄熱層上に接する、電気熱変換部を含む発熱抵抗体層を形成する工程と、を備えるインクジェット記録ヘッド用基板の製造方法において、
前記蓄熱層を形成する工程は、気相法でポーラス状の環状シロキサン膜を成膜する工程を含むことを特徴とするインクジェット記録ヘッド用基板の製造方法。
【請求項２】
前記環状シロキサン膜は、環骨格を構成するシロキサン単位（−Ｓｉ−Ｏ−）ｎの結合数ｎが３〜２０である請求項１に記載のインクジェット記録ヘッド用基板の製造方法。
【請求項３】
前記環状シロキサン膜が、構成原子としてＳｉ，Ｏ，Ｃ，Ｈを含む請求項２に記載のインクジェット記録ヘッド用基板の製造方法。
【請求項４】
前記環状シロキサン膜を成膜する工程は、ジエトキシメチルシランとノルボルナジエンを原料ガスとして用いるプラズマＣＶＤ法にて実施される請求項３に記載のインクジェット記録ヘッド用基板の製造方法。
【請求項５】
ジエトキシメチルシラン：ノルボルナジエンのガス流量比が、１０：９０から５０：５０までの範囲である請求項４に記載のインクジェット記録ヘッド用基板の製造方法。
【請求項６】
前記環状シロキサン膜が、構成原子としてＳｉ，Ｏ，Ｆ，Ｈを含む請求項２に記載のインクジェット記録ヘッド用基板の製造方法。
【請求項７】
前記環状シロキサン膜を成膜する工程は、テトラフルオロシラン、酸素ガス、及び水素ガスを用いるプラズマＣＶＤ法にて実施される請求項６に記載のインクジェット記録ヘッド用基板の製造方法。
【請求項８】
テトラフルオロシラン、水素ガス、酸素ガスの各流量が、テトラフルオロシラン５０ｓｃｃｍに対して、水素ガスが５０〜１５ｓｃｃｍ、酸素ガスが４０〜１２ｓｃｃｍの範囲である請求項７に記載のインクジェット記録ヘッド用基板の製造方法。
【請求項９】
前記環状シロキサン膜が、構成原子としてＳｉ，Ｏ，Ｃ，Ｈ，Ｆを含む請求項２に記載のインクジェット記録ヘッド用基板の製造方法。
【請求項１０】
前記環状シロキサン膜を成膜する工程は、トリメチルシラン、テトラフルオロシラン、及び酸素ガスを原料ガスとして用いるプラズマＣＶＤ法にて実施される請求項９に記載のインクジェット記録ヘッド用基板の製造方法。
【請求項１１】
前記環状シロキサン膜が、構成原子としてＳｉ，Ｏ，Ｃ，Ｈ，Ｎ，Ｆを含む請求項２に記載のインクジェット記録ヘッド用基板の製造方法。
【請求項１２】
前記環状シロキサン膜を成膜する工程は、トリメチルシラン、三フッ化窒素、及び酸素ガスを原料ガスとして用いるプラズマＣＶＤ法にて実施される請求項１１に記載のインクジェット記録ヘッド用基板の製造方法。
【請求項１３】
前記環状シロキサン膜が、３０％以上６０％以下の範囲の空孔率を有する請求項３乃至５のいずれか１項に記載のインクジェット記録ヘッド用基板の製造方法。
【請求項１４】
前記環状シロキサン膜が、３０％以上６５％以下の範囲の空孔率を有する請求項６乃至１２のいずれか１項に記載のインクジェット記録ヘッド用基板の製造方法。
【請求項１５】
前記蓄熱層の形成が、気相法で環状シロキサン膜を成膜する工程と、該環状シロキサン膜の上に該膜の表面の空孔を封止する封孔処理膜を成膜する工程とを含む請求項１乃至１４のいずれか１項に記載のインクジェット記録ヘッド用基板の製造方法。
【請求項１６】
前記封孔処理膜が、窒化シリコン膜である請求項１５に記載のインクジェット記録ヘッド用基板の製造方法。
【請求項１７】
前記発熱抵抗体層上に前記発熱抵抗体層に電気的に接続される配線層を形成する工程と、前記発熱抵抗体層及び前記配線層を覆う絶縁保護層を形成する工程と、をさらに含む請求項１乃至１６のいずれか１項に記載のインクジェット記録ヘッド用基板の製造方法。
【手続補正２】
【補正対象書類名】明細書
【補正対象項目名】発明の名称
【補正方法】変更
【補正の内容】
【発明の名称】インクジェット記録ヘッド用基板の製造方法
【手続補正３】
【補正対象書類名】明細書
【補正対象項目名】０００１
【補正方法】変更
【補正の内容】
【０００１】
本発明は、インクジェット方式によりインクを吐出して記録媒体に記録を行うためのインクジェット記録ヘッド用基板の製造方法に関するものである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の一態様によれば、上記目的を達成するものとして、
基板上に蓄熱層を形成する工程と、前記蓄熱層上に接する、電気熱変換部を含む発熱抵抗体層を形成する工程と、を備えるインクジェット記録ヘッド用基板の製造方法において、
前記蓄熱層を形成する工程が、気相法でポーラス状の環状シロキサン膜を成膜する工程を含むことを特徴とするインクジェット記録ヘッド用基板の製造方法、が提供される。
【手続補正６】
【補正対象書類名】明細書
【補正対象項目名】００１１
【補正方法】削除
【補正の内容】
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
車両のエンジンルームと車室とを区画するダッシュパネルを備える車体前部構造において、当該車体前部構造はさらに、
前記ダッシュパネルに車室側から重なって該ダッシュパネルを補強するリンフォースと、
前記ダッシュパネルの車幅方向の両端部に取付けられていて該ダッシュパネルを支持する２つのダッシュサイドパネルとを備え、
前記リンフォースは、前記ダッシュサイドパネルに車室側から重なっていて、
前記ダッシュパネルは、車幅方向の車内側に膨出していて車体前輪を収容するホイールハウスを含み、
前記リンフォースの端部は、前記ホイールハウスに車室側から重なっていることを特徴とする車体前部構造。
【請求項２】
当該車体前部構造はさらに、
前記ダッシュパネルを車室内側に膨出させた第１ビードであって、該ダッシュパネルのうち前記リンフォースに重なっている第１領域と該リンフォースに重なっていない第２領域とを跨いで形成されている第１ビードと、
前記ダッシュサイドパネルを車室内側に膨出させた第３ビードであって、該ダッシュサイドパネルのうち前記リンフォースに重なっている第３領域と該リンフォースに重なっていない第４領域とを跨いで形成されている第３ビードと、
前記ホイールハウスを車室内側に膨出させた第５ビードであって、該ホイールハウスのうち前記リンフォースに重なっている第５領域と該リンフォースに重なっていない第６領域とを跨いで形成されている第５ビードとを備えることを特徴とする請求項１に記載の車体前部構造。
【請求項３】
当該車体前部構造はさらに、
前記ダッシュパネルの第１ビードに重なるように前記リンフォースを車室内側に膨出させた第２ビードと、
前記ダッシュサイドパネルの第３ビードに重なるように前記リンフォースを車室内側に膨出させた第４ビードと、
前記ホイールハウスの第５ビードに重なるように前記リンフォースを車室内側に膨出させた第６ビードとを備えることを特徴とする請求項２に記載の車体前部構造。
【請求項４】
当該車体前部構造は、前記ダッシュパネルの上端部に車幅方向にわたって重なっていて該上端部から上方に向けて立ち上がるカウルアッパパネルをさらに備え、
第１ビードは、前記ダッシュパネルと前記カウルアッパパネルとが重なる部分まで延びていることを特徴とする請求項２または３に記載の車体前部構造。
【請求項５】
前記ダッシュパネルの第１領域は、前記リンフォースの上端部と重なる縦壁部を含み、
前記ダッシュパネルの第２領域は、前記縦壁部から後方斜め上に傾斜し前記カウルアッパパネルの下端部と重なる傾斜部を含み、
第１ビードは、前記縦壁部と前記傾斜部とを跨いで形成されていて、
第２ビードは、前記縦壁部と重なっていることを特徴とする請求項３または４に記載の車体前部構造。
【請求項６】
当該車体前部構造は、車体前輪のサスペンションを支持するストラットタワーの上面を構成するサスペンションアッパブラケットをさらに備え、
前記サスペンションアッパブラケットは、第１ビードと重なるフランジを有することを特徴とする請求項２から５のいずれか１項に記載の車体前部構造。
【請求項７】
当該車体前部構造はさらに、
前記ダッシュパネルから車両前方に延びる左右一対のサイドメンバと、
前記サイドメンバ間をつなぐように車幅方向に延びていて前記ダッシュパネルの下部にエンジンルーム側から重なるクロスメンバとを備え、
前記リンフォースは、前記ダッシュパネルを介して前記クロスメンバと重なっていることを特徴とする請求項１から６のいずれか１項に記載の車体前部構造。
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
コンピューターに、
プレイヤーが所有するプレイヤーキャラクターを対戦相手となるエネミーキャラクターと対戦させ、その両者それぞれに設定されたパラメーターに基づき勝敗を決定する第１対戦を行ない、かつ、前記第１対戦の結果として前記プレイヤーキャラクターの敗北が決定された場合に、前記プレイヤーが借りたレンタルキャラクターを前記プレイヤーキャラクターに勝利した前記エネミーキャラクターと対戦させ、その両者それぞれに設定されたパラメーターに基づき勝敗を決定する第２対戦を行なう対戦処理を実行させることを特徴とするゲームプログラム。
【請求項２】
請求項１に記載のゲームプログラムであって、
前記対戦処理では、第１対戦においてプレイヤーが最少ポイント量から最大ポイント量までの間で選択したポイント量に応じた大きさのダメージを前記エネミーキャラクターに与える一方で、第２対戦においては最少ポイント量に応じた大きさのダメージを前記エネミーキャラクターに与えることを特徴とするゲームプログラム。
【請求項３】
請求項１又は請求項２に記載のゲームプログラムであって、
前記対戦処理では、前記第２対戦の結果として前記レンタルキャラクターの勝利が決定された場合に、前記プレイヤーキャラクターを新たな対戦相手となるエネミーキャラクターと対戦させる第１対戦を行なうことを特徴とするゲームプログラム。
【請求項４】
請求項１乃至３のいずれかに記載のゲームプログラムであって、
前記コンピューターに、
前記プレイヤーキャラクターの勝利が決定された場合に、前記プレイヤーキャラクターの連勝回数をカウントするカウント処理であって、前記レンタルキャラクターの勝利が決定された場合にも、前記プレイヤーキャラクターの連勝回数をカウントするカウント処理を実行させることを特徴とするゲームプログラム。
【請求項５】
プレイヤーが所有するプレイヤーキャラクターを対戦相手となるエネミーキャラクターと対戦させ、その両者それぞれに設定されたパラメーターに基づき勝敗を決定する第１対戦を行ない、かつ、前記第１対戦の結果として前記プレイヤーキャラクターの敗北が決定された場合に、前記プレイヤーが借りたレンタルキャラクターを前記プレイヤーキャラクターに勝利した前記エネミーキャラクターと対戦させ、その両者それぞれに設定されたパラメーターに基づき勝敗を決定する第２対戦を行なう対戦処理部を備えたことを特徴とする情報処理装置。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
基部と演出部とを有する演出出力玩具であって、
前記基部は、
前記演出部を動作させるための制御情報であって、１を示す情報と０を示す情報からなる前記制御情報を取得する制御情報取得手段と、
給電用信号を発生する給電用信号発生手段と、
前記給電用信号発生手段により発生される給電用信号を、前記制御情報取得手段により取得された制御情報に基づいて断続的に停止させることにより、前記給電用信号を変調する変調手段と、
前記変調手段によって変調された給電用信号を電磁誘導方式により送信する送信手段と、を備え、
前記演出部は、
前記送信手段から送信された給電用信号を電磁誘導方式により受信する受信手段と、
前記受信手段により受信された給電用信号に基づいて電源電圧を生成する電源手段と、
前記受信手段により受信された給電用信号から前記制御情報を抽出する抽出手段と、
前記電源手段から供給される電源電圧によって動作し、演出のための出力を行う演出出力手段と、
前記電源手段から供給される電源電圧によって動作し、前記抽出手段により抽出された制御情報に基づく演出のための出力を前記演出出力手段に行わせる演出制御手段と、を備え、
前記変調手段は、前記制御情報のうち前記１を示す情報に従って、前記給電用信号を停止した後に、期間Ｔ１だけ前記給電用信号を出力させ、かつ、前記制御情報のうち前記０を示す情報に従って、前記給電用信号を停止した後に、期間Ｔ１とは異なる期間Ｔ２だけ前記給電用信号を出力させ、
前記変調手段が変調のために前記給電用信号を停止させる各停止期間の長さは、前記期間Ｔ１および前記期間Ｔ２よりも短い演出出力玩具。
【請求項２】
請求項１記載の演出出力玩具であって、
前記制御情報は、演出内容を定義した演出情報を指定するための演出指定情報であり、
前記演出部は、複数の演出情報を記憶する記憶手段を更に備え、
前記演出制御手段は、前記抽出手段により抽出された演出指定情報によって指定される演出情報を前記記憶手段から読み出し、読み出した演出情報にしたがって前記演出出力手段に出力を行わせる演出出力玩具。
【請求項３】
請求項２記載の演出出力玩具であって、
前記演出部は、前記基部に対して回転可能に取り付けられており、
前記基部は、前記演出部を回転駆動するための駆動手段を更に備える演出出力玩具。
【請求項４】
請求項３記載の演出出力玩具であって、
前記演出出力手段は、前記演出部の回転状態に応じて発光又は消灯が制御される発光部を有する演出出力玩具。
【請求項５】
請求項４記載の演出出力玩具であって、
前記演出情報は、前記演出部が前記駆動手段により前記基部に対して回転している状態において、前記発光部を発光及び消灯するタイミングを制御するための情報であり、
前記演出制御手段は、前記演出情報に基づいて、前記演出部が前記駆動手段により前記基部に対して回転している状態において前記発光部を発光又は消灯させるタイミングを制御することで、前記発光部から発する光の残像により所定の像を提示する演出を行わせる演出出力玩具。
【手続補正２】
【補正対象書類名】明細書
【補正対象項目名】０００７
【補正方法】変更
【補正の内容】
【０００７】
本発明に係る演出出力玩具は、基部と演出部とを有する演出出力玩具であって、前記基部は、前記演出部を動作させるための制御情報を取得する制御情報取得手段と、給電用信号を発生する給電用信号発生手段と、前記給電用信号発生手段により発生される給電用信号を、前記制御情報取得手段により取得された制御情報に基づいて断続的に停止させることにより、前記給電用信号を変調する変調手段と、前記変調手段によって変調された給電用信号を電磁誘導方式により送信する送信手段と、を備え、前記演出部は、前記送信手段から送信された給電用信号を電磁誘導方式により受信する受信手段と、前記受信手段により受信された給電用信号に基づいて電源電圧を生成する電源手段と、前記受信手段により受信された給電用信号から前記制御情報を抽出する抽出手段と、前記電源手段から供給される電源電圧によって動作し、演出のための出力を行う演出出力手段と、前記電源手段から供給される電源電圧によって動作し、前記抽出手段により抽出された制御情報に基づく演出のための出力を前記演出出力手段に行わせる演出制御手段と、を備え、前記変調手段が変調のために前記給電用信号を停止させる各停止期間の長さは、前記電源手段によって生成される電源電圧を前記演出制御手段及び前記演出出力手段が動作するために必要な最低動作電圧以上に維持可能な長さとなっていることを特徴としている。また、本発明に係る演出出力玩具は、基部と演出部とを有する演出出力玩具であって、前記基部は、前記演出部を動作させるための制御情報であって、１を示す情報と０を示す情報からなる前記制御情報を取得する制御情報取得手段と、給電用信号を発生する給電用信号発生手段と、前記給電用信号発生手段により発生される給電用信号を、前記制御情報取得手段により取得された制御情報に基づいて断続的に停止させることにより、前記給電用信号を変調する変調手段と、前記変調手段によって変調された給電用信号を電磁誘導方式により送信する送信手段と、を備え、前記演出部は、前記送信手段から送信された給電用信号を電磁誘導方式により受信する受信手段と、前記受信手段により受信された給電用信号に基づいて電源電圧を生成する電源手段と、前記受信手段により受信された給電用信号から前記制御情報を抽出する抽出手段と、前記電源手段から供給される電源電圧によって動作し、演出のための出力を行う演出出力手段と、前記電源手段から供給される電源電圧によって動作し、前記抽出手段により抽出された制御情報に基づく演出のための出力を前記演出出力手段に行わせる演出制御手段と、を備え、前記変調手段は、前記制御情報のうち前記１を示す情報に従って、前記給電用信号を停止した後に、期間Ｔ１だけ前記給電用信号を出力させ、かつ、前記制御情報のうち前記０を示す情報に従って、前記給電用信号を停止した後に、期間Ｔ１とは異なる期間Ｔ２だけ前記給電用信号を出力させ、前記変調手段が変調のために前記給電用信号を停止させる各停止期間の長さは、前記期間Ｔ１および前記期間Ｔ２よりも短いことを特徴としている。
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
被調理物を加熱調理するための調理容器を支持し且つグリル扉を前端部に備えた調理容器支持部が、グリル庫に対して出退自在に設けられ、
前記グリル庫の後部に、調理排気を排出する排気通路を形成する排気通路形成部が上方に伸びる形態で設けられ、
前記調理容器の存否を検出する容器存否検出センサが、前記調理容器が前記グリル庫の内部に収納された状態において、前記調理容器の後端部に接当する形態で設けられ、
前記容器存否検出センサの検出情報に基づいて、加熱調理用のグリルバーナの燃焼を制御する運転制御部が設けられているグリルであって、
前記容器存否検出センサが、前記排気通路形成部の横外方側のグリル庫壁部分に、前記調理容器の後端部のうちの横端側部分に接当する形態で装着されているグリル。
【請求項２】
前記グリルバーナとして、前記調理容器の下方に配置される下バーナが設けられ、
前記グリル庫の後部に、当該グリル庫の下側部分においてはグリル庫横幅方向の中央側部分を開口し、かつ、当該グリル庫の上側部分においてはグリル庫横幅方向の全幅に亘って開口する形態で排気出口が開口され、
前記排気通路形成部が、前記排気通路を前記排気出口に連通させる形態で形成するように構成され、
前記容器存否検出センサを装備する前記グリル庫壁部分が、前記グリル庫の後部の下側部分において前記排気出口の横側に位置する壁部分である請求項１記載のグリル。
【請求項３】
前記容器存否検出センサが、センサ本体に対してグリル庫前後幅方向に移動自在にかつ前方側の突出位置に復帰付勢した状態で設けた容器接当部と、前記容器接当部が前記センサ本体に対して前記突出位置から後退位置に後退移動したことを検出する後退移動検出部を備える形態に構成されている請求項１又は２記載のグリル。
【請求項４】
前記容器接当部が、前記容器存否検出センサの雰囲気温度を検出する温度検知部を備えるように構成されている請求項３記載のグリル。
【請求項５】
前記排気通路内の温度を検出する排気温度センサが設けられ、
前記運転制御部が、前記温度検知部の検出温度と前記排気温度センサの検出温度とに基づいて、前記排気通路の閉塞を判別するように構成されている請求項４に記載のグリル。
【手続補正２】
【補正対象書類名】明細書
【補正対象項目名】０００１
【補正方法】変更
【補正の内容】
【０００１】
本発明は、被調理物を加熱調理するための調理容器を支持し且つグリル扉を前端部に備えた調理容器支持部が、グリル庫に対して出退自在に設けられ、
前記グリル庫の後部に、調理排気を排出する排気通路を形成する排気通路形成部が上方に伸びる形態で設けられ、
前記調理容器の存否を検出する容器存否検出センサが、前記調理容器が前記グリル庫の内部に収納された状態において、前記調理容器の後端部に接当する形態で設けられ、
前記容器存否検出センサの検出情報に基づいて、加熱調理用のグリルバーナの燃焼を制御する運転制御部が設けられているグリルに関する。
【手続補正３】
【補正対象書類名】明細書
【補正対象項目名】００１１
【補正方法】変更
【補正の内容】
【００１１】
本発明のグリルは、被調理物を加熱調理するための調理容器を支持し且つグリル扉を前端部に備えた調理容器支持部が、グリル庫に対して出退自在に設けられ、
前記グリル庫の後部に、調理排気を排出する排気通路を形成する排気通路形成部が上方に伸びる形態で設けられ、
前記調理容器の存否を検出する容器存否検出センサが、前記調理容器が前記グリル庫の内部に収納された状態において、前記調理容器の後端部に接当する形態で設けられ、
前記容器存否検出センサの検出情報に基づいて、加熱調理用のグリルバーナの燃焼を制御する運転制御部が設けられているものであって、その第１特徴構成は、
前記容器存否検出センサが、前記排気通路形成部の横外方側のグリル庫壁部分に、前記調理容器の後端部のうちの横端側部分に接当する形態で装着されている点にある。
【手続補正４】
【補正対象書類名】明細書
【補正対象項目名】００１７
【補正方法】変更
【補正の内容】
【００１７】
本発明のグリルの第２特徴構成は、上記第１特徴構成に加えて、
前記グリルバーナとして、前記調理容器の下方に配置される下バーナが設けられ、
前記グリル庫の後部に、当該グリル庫の下側部分においてはグリル庫横幅方向の中央側部分を開口し、かつ、当該グリル庫の上側部分においてはグリル庫横幅方向の全幅に亘って開口する形態で排気出口が開口され、
前記排気通路形成部が、前記排気通路を前記排気出口に連通させる形態で形成するように構成され、
前記容器存否検出センサを装備する前記グリル庫壁部分が、前記グリル庫の後部の下側部分において前記排気出口の横側に位置する壁部分である点にある。
【手続補正５】
【補正対象書類名】明細書
【補正対象項目名】００１８
【補正方法】変更
【補正の内容】
【００１８】
すなわち、グリル庫の後部に開口される排気出口は、下バーナの燃焼ガスや加熱された被調理物から排出されるガス類等の調理排気を良好に排出するために、グリル庫の下側部分においてはグリル庫横幅方向の中央側部分を開口し、かつ、グリル庫の上側部分においてはグリル庫横幅方向の全幅に亘って開口する形態で開口されることになり、このように開口された排気出口に合わせて、排気通路形成部が、排気通路を排気出口に連通させる形態で形成するように構成されることになる。
【手続補正６】
【補正対象書類名】明細書
【補正対象項目名】００１９
【補正方法】変更
【補正の内容】
【００１９】
したがって、グリル庫の後部の排気出口が、上述の如く開口される状態で形成される関係上、グリル庫の後部の下側部分において排気出口の横側には、グリル庫を形成する壁部分が位置することになり、この壁部分は、グリル庫の内部に収納された調理容器の後端部に対向する状態で位置することになる。
そこで、グリル庫の後部の下側部分において排気出口の横側に位置する壁部分を、容器存否検出センサを装備するグリル庫壁部分として用いて、容器存否検出センサを装備するのである。
【手続補正７】
【補正対象書類名】明細書
【補正対象項目名】００２０
【補正方法】変更
【補正の内容】
【００２０】
そして、グリル庫の後部の下側部分において排気出口の横側に位置する壁部分の後方側箇所は、排気通路形成部の横外方側に位置する空間であり、いわゆるデッドスペースとして存在する箇所であるから、容器存否検出センサを、デッドスペースを利用しながら、適切に装備することができる。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
演出を制御する副制御手段と、を備え、
前記主制御手段は、
入賞役または再遊技役を選出可能な役決定処理を行い、
入賞役に応じた遊技媒体の払出数の情報を含んだ払出数コマンドを前記副制御手段に送信し、
遊技媒体を払い出すごとに、払出数をカウントするための払出数カウンタの値を更新し、
払出数カウンタの値を更新したときに払出数更新コマンドを前記副制御手段に送信し、
前記副制御手段は、
入賞役が成立したときは、前記払出数コマンドと前記払出数更新コマンドとに基づき制御カウンタの値を更新し、更新した前記制御カウンタの値に基づいて、獲得した遊技媒体の情報を画像表示装置に表示させ、
再遊技役が成立したときは、前記画像表示装置に表示されている獲得された遊技媒体の情報を変更せず、その後スタートスイッチの操作がなされたときも、前記画像表示装置に表示されている獲得された遊技媒体の情報を変更しない、ことを特徴とするスロットマシン。
【手続補正２】
【補正対象書類名】明細書
【補正対象項目名】００１７
【補正方法】変更
【補正の内容】
【００１７】
上記目的を達成するため本発明に係る下記のスロットマシンは、以下のような特徴を備えている。なお、以下の特徴構成の説明では、後述する実施形態において対応する構成の一例を括弧書きで示している。
本発明に係るスロットマシンは、遊技の進行を制御する主制御手段と、演出を制御する副制御手段と、を備え、前記主制御手段は、入賞役または再遊技役を選出可能な役決定処理を行い、入賞役に応じた遊技媒体の払出数の情報を含んだ払出数コマンドを前記副制御手段に送信し、遊技媒体を払い出すごとに、払出数をカウントするための払出数カウンタの値を更新し、払出数カウンタの値を更新したときに払出数更新コマンドを前記副制御手段に送信し、前記副制御手段は、入賞役が成立したときは、前記払出数コマンドと前記払出数更新コマンドとに基づき制御カウンタの値を更新し、更新した前記制御カウンタの値に基づいて、獲得した遊技媒体の情報を画像表示装置に表示させ、再遊技役が成立したときは、前記画像表示装置に表示されている獲得された遊技媒体の情報を変更せず、その後スタートスイッチ（例えば、スタートレバー２５）の操作がなされたときも、前記画像表示装置に表示されている獲得された遊技媒体の情報を変更しない、ことを特徴とする。
【手続補正３】
【補正対象書類名】明細書
【補正対象項目名】００１８
【補正方法】変更
【補正の内容】
【００１８】
参考の第１のスロットマシンは、複数種類の図柄を可変表示する複数のリール（例えば、リール３ａ，３ｂ，３ｃ）と、遊技の進行を制御する主制御手段と、演出を制御する副制御手段と、を備え、副制御手段は、第１副制御手段（例えば、サブメイン制御手段２００Ａ）と第２副制御手段（例えば、サブサブ制御手段２００Ｂ）とを有し、主制御手段は、遊技の用に供される遊技媒体のベット数が確定したときは、確定したベット数の情報を含んだ確定ベット数コマンドを第１副制御手段に送信し、第１副制御手段は、前記確定ベット数コマンドを受信したときは、遊技媒体の獲得総数をカウントするための獲得総数カウンタの値を更新し、更新後の獲得総数の値の情報を含んだ獲得総数値コマンドを第２副制御手段に送信し、遊技中に供給電圧が所定値以下に低下する電源断が発生し当該電源断から復帰したときは、電源断時における獲得総数の値の情報を含んだコマンドを前記獲得総数値コマンドとして第２副制御手段に送信し、第２副制御手段は、前記獲得総数値コマンドを受信したときは、更新後の獲得総数の値と更新前の獲得総数の値とを用いて所定の演算処理を行い、当該演算処理に応じて、獲得総数の表示値を更新する獲得総数値更新演出を画像表示装置に表示させる、ことを特徴とする。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
演出を制御する副制御手段と、を備え、
前記主制御手段は、
所定の入賞役を選出可能な役決定処理を行い、
遊技媒体を払い出すごとに、払出数をカウントするための払出数カウンタの値を更新し、
払出数カウンタの値を更新したという情報を含んだ払出数更新コマンドを前記副制御手段に送信し、
前記副制御手段は、
前記払出数更新コマンドを受信するごとに、遊技媒体の獲得総数の各経過値を画像表示装置に表示させ、
スタートスイッチが操作されたことに基づいて、画像表示装置に表示されている獲得総数をベットされた遊技媒体の数だけ減算可能にし、
前記主制御手段は、
遊技媒体の払出し中に所定のエラーが発生した場合には遊技媒体の払出しを中断し、その後所定のエラーが解除されると遊技媒体の払出しを再開可能にし、遊技媒体が払い出されたときは前記払出数更新コマンドを前記副制御手段に送信し、
前記副制御手段は、
所定のエラーの解除後に前記払出数更新コマンドを受信したときは、遊技媒体の獲得総数の各経過値を画像表示装置に表示させる、ことを特徴とするスロットマシン。
【手続補正２】
【補正対象書類名】明細書
【補正対象項目名】００１７
【補正方法】変更
【補正の内容】
【００１７】
上記目的を達成するため本発明に係る下記のスロットマシンは、以下のような特徴を備えている。なお、以下の特徴構成の説明では、後述する実施形態において対応する構成の一例を括弧書きで示している。
本発明に係るスロットマシンは、遊技の進行を制御する主制御手段と、演出を制御する副制御手段と、を備え、前記主制御手段は、所定の入賞役を選出可能な役決定処理を行い、遊技媒体を払い出すごとに、払出数をカウントするための払出数カウンタの値を更新し、払出数カウンタの値を更新したという情報を含んだ払出数更新コマンドを前記副制御手段に送信し、前記副制御手段は、前記払出数更新コマンドを受信するごとに、遊技媒体の獲得総数の各経過値を画像表示装置に表示させ、スタートスイッチ（例えば、スタートレバー２５）が操作されたことに基づいて、画像表示装置に表示されている獲得総数をベットされた遊技媒体の数だけ減算可能にし、前記主制御手段は、遊技媒体の払出し中に所定のエラーが発生した場合には遊技媒体の払出しを中断し、その後所定のエラーが解除されると遊技媒体の払出しを再開可能にし、遊技媒体が払い出されたときは前記払出数更新コマンドを前記副制御手段に送信し、前記副制御手段は、所定のエラーの解除後に前記払出数更新コマンドを受信したときは、遊技媒体の獲得総数の各経過値を画像表示装置に表示させる、ことを特徴とする。
【手続補正３】
【補正対象書類名】明細書
【補正対象項目名】００１８
【補正方法】変更
【補正の内容】
【００１８】
参考の第１のスロットマシンは、複数種類の図柄を可変表示する複数のリール（例えば、リール３ａ，３ｂ，３ｃ）と、遊技の進行を制御する主制御手段と、演出を制御する副制御手段と、を備え、副制御手段は、第１副制御手段（例えば、サブメイン制御手段２００Ａ）と第２副制御手段（例えば、サブサブ制御手段２００Ｂ）とを有し、主制御手段は、複数の遊技役の中から成立することが許容される遊技役を選出する役決定処理を行い、その選出結果の情報を含んだ役決定結果コマンドを第１副制御手段に送信し、第１副制御手段は、前記役決定結果コマンドを受信したときは、前記選出結果に応じて、遊技者に付与する所定の特典の上乗せ数を決定する上乗せ処理を行い、決定した上乗せ数に応じて、特典の付与可能数を制御するための特典付与可能数制御カウンタ（例えば、ＡＴ制御カウンタＣ２５）の値を更新し、更新後の付与可能数の値の情報を含んだ特典付与可能数値コマンドを第２副制御手段に送信し、遊技中に供給電圧が所定値以下に低下する電源断が発生し当該電源断から復帰したときは、電源断時における付与可能数の値の情報を含んだコマンドを前記特典付与可能数値コマンドとして第２副制御手段に送信し、第２副制御手段は、前記特典付与可能数値コマンドを受信したときは、更新後の付与可能数の値と更新前の付与可能数の値とを用いて所定の演算処理を行い、当該演算処理の結果に応じて、表示用の付与可能数の値を表示させる際の表示態様を選択し、選択した表示態様により、表示用の付与可能数の更新後の値を画像表示装置に表示させる、ことを特徴とする。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
基板を保持したトップリングを回転させるとともに研磨テーブルを回転させながら、トップリングにより基板を研磨テーブル上の研磨面に押圧して基板を研磨する研磨装置において、
内側の回転環と外側の固定環とを備え、前記内側の回転環は前記研磨テーブルまたは前記トップリングの回転部に固定され、研磨テーブル内またはトップリング内に流体の供給および排出を行うためのロータリジョイントと、
前記ロータリジョイントの前記外側の固定環と装置フレームとを連結して前記ロータリジョイントの前記外側の固定環の回り止めを行う回り止め機構とを備え、
前記回り止め機構は少なくとも１つの球面滑り軸受を有したリンク機構を備えることを特徴とする研磨装置。
【請求項２】
前記リンク機構は、２つの球面滑り軸受を接続したことを特徴とする請求項１に記載の研磨装置。
【請求項３】
前記２つの球面滑り軸受のうち、一方はおねじ付球面滑り軸受、他方はめねじ付球面滑り軸受であり、前記２つの球面滑り軸受はねじ締結されて一体化されていることを特徴とする請求項２に記載の研磨装置。
【請求項４】
前記回り止め機構は、前記リンク機構と、該リンク機構と前記ロータリジョイントの前記外側の固定環とを連結するための回り止めプレートと、前記リンク機構と前記装置フレームとを連結するためのストッパプレートとからなることを特徴とする請求項１乃至３のいずれか一項に記載の研磨装置。
【請求項５】
前記リンク機構を前記ロータリジョイントの前記外側の固定環に連結することにより、前記ロータリジョイントの固有振動数を高め、前記研磨テーブルまたは前記トップリングの回転部材の固有振動数とは異なるようにしたことを特徴とする請求項１乃至４のいずれか一項に記載の研磨装置。
【請求項６】
前記研磨テーブルの前記回転部材は、テーブル軸に設けられ前記ロータリジョイントの前記内側の回転環に接続される冷却水配管であり、前記冷却水配管は前記研磨テーブル内に冷却水を供給し又は前記研磨テーブル内から冷却水を排出するように構成されていることを特徴とする請求項５に記載の研磨装置。
【手続補正２】
【補正対象書類名】明細書
【補正対象項目名】００１１
【補正方法】変更
【補正の内容】
【００１１】
上述の目的を達成するため、本発明の研磨装置は、基板を保持したトップリングを回転させるとともに研磨テーブルを回転させながら、トップリングにより基板を研磨テーブル上の研磨面に押圧して基板を研磨する研磨装置において、内側の回転環と外側の固定環とを備え、前記内側の回転環は前記研磨テーブルまたは前記トップリングの回転部に固定され、研磨テーブル内またはトップリング内に流体の供給および排出を行うためのロータリジョイントと、前記ロータリジョイントの前記外側の固定環と装置フレームとを連結して前記ロータリジョイントの前記外側の固定環の回り止めを行う回り止め機構とを備え、前記回り止め機構は少なくとも１つの球面滑り軸受を有したリンク機構を備えることを特徴とする。
【手続補正３】
【補正対象書類名】明細書
【補正対象項目名】００１４
【補正方法】変更
【補正の内容】
【００１４】
本発明の好ましい態様は、前記２つの球面滑り軸受のうち、一方はおねじ付球面滑り軸受、他方はめねじ付球面滑り軸受であり、前記２つの球面滑り軸受はねじ締結されて一体化されていることを特徴とする。
本発明の好ましい態様は、前記回り止め機構は、前記リンク機構と、該リンク機構と前記ロータリジョイントの前記外側の固定環とを連結するための回り止めプレートと、前記リンク機構と前記装置フレームとを連結するためのストッパプレートとからなることを特徴とする。
【手続補正４】
【補正対象書類名】明細書
【補正対象項目名】００１５
【補正方法】変更
【補正の内容】
【００１５】
本発明の好ましい態様は、前記リンク機構を前記ロータリジョイントの前記外側の固定環に連結することにより、前記ロータリジョイントの固有振動数を高め、前記研磨テーブルまたは前記トップリングの回転部材の固有振動数とは異なるようにしたことを特徴とする。
本発明によれば、リンク機構をロータリジョイントに連結することにより、ロータリジョイントとリンク機構とを一体化したロータリジョイント組立体の固有振動数が大きくなり、他の周辺部品の固有振動数と大きく異なってくる。したがって、ロータリジョイントとリンク機構とを一体化したロータリジョイント組立体と、冷却水配管等の周辺部品との共振を防止することができる。その結果、ロータリジョイントの捩り振動を防止でき、配管摩耗や異音発生を防止できる。
【手続補正５】
【補正対象書類名】明細書
【補正対象項目名】００１６
【補正方法】変更
【補正の内容】
【００１６】
本発明の好ましい態様は、前記研磨テーブルの前記回転部材は、テーブル軸に設けられ前記ロータリジョイントの前記内側の回転環に接続される冷却水配管であり、前記冷却水配管は前記研磨テーブル内に冷却水を供給し又は前記研磨テーブル内から冷却水を排出するように構成されていることを特徴とする。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
被検眼眼底を撮影するための撮影光学系を収容すると共に、被検者側筐体面において光学アダプタを着脱可能な撮影部を備え、前記撮影光学系によって被検眼眼底の画像を得るための眼科撮影装置であって、
被検眼に対して前記撮影部を水平方向に移動させるための第１移動ユニットと、
被検眼眼底に対する前記撮影光学系のフォーカスを調整するため、前記撮影光学系に配置された一部の光学部材を駆動させるための駆動手段と、
前記第１移動ユニット及び前記駆動手段とは別に設けられ、前記光学アダプタが前記撮影部に装着された状態で眼底を撮影する際、前記撮影部を被検眼に対して遠ざけるための第２移動ユニットと、
を備えることを特徴とする眼科撮影装置。
【請求項２】
前記第２移動ユニットは、前記撮影光学系全体を、前記駆動手段による前記光学部材の駆動よりもラフに移動させる粗動機構を備えることを特徴とする請求項１記載の眼科撮影装置。
【請求項３】
前記第２移動ユニットは、第１の移動位置と第２の移動位置との間で前記撮影部を作動距離方向に移動させ、前記第１の移動位置と前記第２の移動位置との間隔である移動量は、前記光学アダプタが前記撮影部に装着された際の突出量と対応していることを特徴とする請求項１又は２記載の眼科撮影装置。
【請求項４】
前記第２移動ユニットは、検者からの操作に応じて第１の操作位置と第２の操作位置との間で変位される操作部材を備え、操作部材の変位に連動して、第１の移動位置と第２の移動位置との間で前記撮影部を移動させることを特徴とする請求項３記載の眼科撮影装置。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
ユーザーの脈波情報を取得する脈波情報取得部と、
前記脈波情報に基づいて、前記ユーザーの睡眠状態を判定する処理部と、
を含み、
前記処理部は、
前記脈波情報に基づいて、睡眠中のアローザル状態に関する指標情報を求めることを特徴とする生体情報処理システム。
【請求項２】
請求項１において、
前記処理部は、
前記ユーザーが前記睡眠状態と判定された第１期間における前記脈波情報の変化に基づいて、前記指標情報を求めることを特徴とする生体情報処理システム。
【請求項３】
請求項２において、
前記処理部は、
所与の第２期間での前記脈波情報の変化量と、脈波変化量閾値との比較処理に基づいて、前記指標情報を求めることを特徴とする生体情報処理システム。
【請求項４】
請求項３において、
前記処理部は、
所与の単位時間において、前記第２期間での前記脈波情報の前記変化量が前記脈波変化量閾値を超えた回数を、前記指標情報として求めることを特徴とする生体情報処理システム。
【請求項５】
請求項３又は４のいずれかにおいて、
前記処理部は、
前記ユーザーの個人情報に基づいて、前記第２期間の長さ及び前記脈波変化量閾値の少なくとも一方の値を設定することを特徴とする生体情報処理システム。
【請求項６】
請求項３乃至５のいずれかにおいて、
前記脈波情報は、脈拍数又は脈拍間隔を表す情報であり、
前記処理部は、
前記脈波情報の変化周期に対応する時間に基づいて、前記第２期間の長さを設定することを特徴とする生体情報処理システム。
【請求項７】
ユーザーの脈波情報を取得する処理を行い、
前記脈波情報に基づいて、睡眠中のアローザル状態に関する情報を求める処理を行うことを特徴とする生体情報処理システムの制御方法。
【手続補正書】
【提出日】平成29年6月14日(2017.6.14)
【手続補正１】
【補正対象書類名】特許請求の範囲
【補正対象項目名】請求項１
【補正方法】変更
【補正の内容】
【請求項１】
フェース部と、クラウン部と、ソール部とを含むウッド型のゴルフクラブヘッドであって、
前記フェース部には、複数の溝が形成されており、
前記複数の溝の深さは、０．０２５ｍｍ未満であり、
前記複数の溝の隣接する溝間の各ピッチが０．１ｍｍ以上、１ｍｍ以下の範囲内である、
ことを特徴とするゴルフクラブヘッド。
【手続補正２】
【補正対象書類名】明細書
【補正対象項目名】０００７
【補正方法】変更
【補正の内容】
【０００７】
本発明によれば、フェース部と、クラウン部と、ソール部とを含むウッド型のゴルフクラブヘッドであって、前記フェース部には、複数の溝が形成されており、前記複数の溝の深さは、０．０２５ｍｍ未満であり、前記複数の溝の隣接する溝間の各ピッチが０．１ｍｍ以上、１ｍｍ以下の範囲内である、ことを特徴とするゴルフクラブヘッドが提供される。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
第１の制御装置と、前記第１の制御装置と通信可能な第２の制御装置とを備える遊技機であって、
前記第１の制御装置は、基礎情報から生成され所定の通信ごとに更新される少なくとも１種類の特定情報を受信する情報受信手段と、前記情報受信手段により受信した前記少なくとも１種類の特定情報に基づいて所定の条件の成立に伴う指示情報を変換することにより生成される変換指示情報を含む通信情報を前記第２の制御装置へ送信する情報送信手段とを含み、
前記第２の制御装置は、前記第１の制御装置からの前記通信情報を受信し、前記少なくとも１種類の特定情報に基づいて前記通信情報に含まれる前記変換指示情報を変換することにより前記指示情報を抽出する情報受信手段を含む、
ことを特徴とする遊技機。
【請求項２】
請求項１に記載の遊技機であって、弾球遊技機または回胴式遊技機であることを特徴とする遊技機。
【手続補正書】
【提出日】平成29年6月14日(2017.6.14)
【手続補正１】
【補正対象書類名】特許請求の範囲
【補正対象項目名】請求項１
【補正方法】変更
【補正の内容】
【請求項１】
フェース部と、クラウン部と、ソール部とを含むウッド型のゴルフクラブヘッドであって、
前記フェース部には、複数の溝が形成されており、
前記複数の溝の深さは、０．０２５ｍｍ未満であり、
前記フェース部には、表面処理によって前記深さ以下の膜厚の被膜が形成されている、
ことを特徴とするゴルフクラブヘッド。
【手続補正２】
【補正対象書類名】明細書
【補正対象項目名】０００８
【補正方法】変更
【補正の内容】
【０００８】
本発明によれば、フェース部と、クラウン部と、ソール部とを含むウッド型のゴルフクラブヘッドであって、前記フェース部には、複数の溝が形成されており、前記複数の溝の深さは、０．０２５ｍｍ未満であり、前記フェース部には、表面処理によって前記深さ以下の膜厚の被膜が形成されている、ことを特徴とするゴルフクラブヘッドが提供される。
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
ベッド幅方向に延びると共に、ベッド長手方向に並置された複数個のエアセルと、
前記各エアセルに対する空気の供給及び排出を行う給排気ポンプと、
前記給排気ポンプの出力を制御する制御部と、
を備え、
前記制御部は、
前記エアセルが無圧状態であって全てのエアセルに空気を供給させる場合には、全てのエアセルが通常使用状態になるまで前記給排気ポンプの出力を最大能力近傍の第１出力に設定し、
前記エアセルのうち、一部のエアセルに空気を供給する場合には、前記給排気ポンプの出力を前記第１出力よりも低い第２出力に設定する、
ことを特徴とするエアマットレス。
【請求項２】
前記制御部は、
前記エアセルを選択的に交互に膨縮させる交互膨縮動作時に、前記給排気ポンプの出力を前記第１出力よりも低い第２出力に設定することを特徴とするエアマットレス。
【請求項３】
前記制御部は、
前記交互膨縮動作時に、交互膨縮の頻度に基づいて、前記第２出力を設定することを特徴とする請求項２に記載のエアマットレス。
【請求項４】
背ボトムを含む複数個のボトム上に前記エアマットレスを載置し、前記背ボトムを上昇させる背上げ動作を行うギャッチベッドに使用されるエアマットレスであって、
前記制御部は、
前記背上げ動作時に、ベッド利用者の臀部に相当する位置のエアセルの圧力を高めるときに、前記給排気ポンプの出力を前記第１出力よりも低い第３出力に設定することを特徴とする請求項１から３の何れか一項に記載のエアマットレス。
【請求項５】
前記制御部は、
患者のリハビリテーションのとき、患者が端座位位置に着座するとき又はギャッチベッドの背上げ動作のときの少なくとも１つのときに、前記給排気ポンプの出力を最大能力近傍の第１出力に設定することを特徴とする請求項１から３の何れか一項に記載のエアマットレス。
【請求項６】
ベッド幅方向に延びると共に、ベッド長手方向に並置された複数個のエアセルと、前記各エアセルに対する空気の供給及び排出を行う給排気ポンプと、前記給排気ポンプの出力を制御する制御部とを備えたエアマットレスにおける制御方法であって、
前記エアセルが無圧状態であって全てのエアセルに空気を供給させる場合には、全てのエアセルが通常使用状態になるまで前記給排気ポンプの出力を最大能力近傍の第１出力に設定し、
前記エアセルのうち、一部のエアセルに空気を供給する場合には、前記給排気ポンプの出力を前記第１出力より低い第２出力に設定する、
ことを特徴とするエアマットレスにおける制御方法。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
所定基板を含む１以上の基板を有して構成された遊技機において、
遊技球を発射するための発射手段と、
前記発射手段により発射された遊技球を検知する検知手段と、
前記検出手段による検知数をカウントするカウント手段と、を備え、
前記検知手段は、前記所定基板に接続される
ことを特徴とする遊技機。
【請求項２】
前記所定基板は、遊技者に有利な特別遊技を行うか否かの判定を行う主基板である
ことを特徴とする請求項１に記載の遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、発射数に関して新味のある遊技機を提供することを目的とする。
【手続補正４】
【補正対象書類名】明細書
【補正対象項目名】０００７
【補正方法】変更
【補正の内容】
【０００７】
本発明に係る遊技機は、所定基板を含む１以上の基板を有して構成された遊技機において、遊技球を発射するための発射手段と、前記発射手段により発射された遊技球を検知する検知手段と、前記検出手段による検知数をカウントするカウント手段と、を備え、前記検知手段は、前記所定基板に接続されることを特徴とする。
【手続補正５】
【補正対象書類名】明細書
【補正対象項目名】０００８
【補正方法】変更
【補正の内容】
【０００８】
例えば、前記遊技機において、前記所定基板は、遊技者に有利な特別遊技を行うか否かの判定を行う主基板であって良い。
【手続補正６】
【補正対象書類名】明細書
【補正対象項目名】０００９
【補正方法】変更
【補正の内容】
【０００９】
本発明によれば、発射数に関して新味のある遊技機を提供することが可能である。
【手続補正書】
【提出日】平成29年7月7日(2017.7.7)
【手続補正１】
【補正対象書類名】明細書
【補正対象項目名】００１０
【補正方法】変更
【補正の内容】
【００１０】
上記課題を解決するために、本発明に係る眼科装置は、被検眼の眼底の平面画像を取得する画像取得手段と、前記平面画像から、前記被検眼の視細胞が存在する存在領域と前記視細胞が存在しない領域との境界を取得する境界取得手段と、複数の前記平面画像から取得した前記境界に基づいて、前記眼底における前記視細胞の存在領域を設定する設定手段と、を備えたことを特徴とする。
【手続補正２】
【補正対象書類名】特許請求の範囲
【補正対象項目名】全文
【補正方法】変更
【補正の内容】
【特許請求の範囲】
【請求項１】
被検眼の眼底の平面画像を取得する画像取得手段と、
前記平面画像から、前記被検眼の視細胞が存在する存在領域と前記視細胞が存在しない領域との境界を取得する境界取得手段と、
複数の前記平面画像から取得した前記境界に基づいて、前記眼底における前記視細胞の存在領域を設定する設定手段と、
を備えたことを特徴とする眼科装置。
【請求項２】
前記境界取得手段は、前記平面画像を周波数変換して得られる前記視細胞の密度に対応するシグナルの強度に基づいて、前記境界を取得することを特徴とする請求項１に記載の眼科装置。
【請求項３】
前記画像取得手段は、前記境界取得手段で取得した前記境界の位置に応じて前記平面画像を撮影する前記眼底における撮影位置を設定する撮影位置設定手段を備えたことを特徴とする請求項１又は２に記載の眼科装置。
【請求項４】
前記取得した境界と、前記平面画像を取得した前記眼底における撮影位置とを対応づける位置合わせ手段を有することを特徴とする請求項１乃至３の何れか一項に記載の眼科装置。
【請求項５】
前記設定した視細胞の存在領域に基づき、前記平面画像とは解像度の異なる第二の平面画像を取得する第二の画像取得手段を備えたことを特徴とする請求項１乃至４の何れか一項に記載の眼科装置。
【請求項６】
前記第二の画像取得手段は、前記第二の平面画像が前記境界を含む場合に、前記第二の平面画像を取得した前記眼底における撮影位置に対して複数のフォーカス位置で撮影を行うことを特徴とする請求項５に記載の眼科装置。
【請求項７】
前記境界取得手段は、前記複数のフォーカス位置で撮影された前記第二の平面画像の各々から前記境界を取得することを特徴とする請求項６に記載の眼科装置。
【請求項８】
前記第二の画像取得手段は、前記第二の平面画像が前記視細胞を含む場合に、前記第二の平面画像を取得した前記眼底における撮影位置に対して複数のフォーカス位置で撮影を行うことを特徴とする請求項５に記載の眼科装置。
【請求項９】
前記境界取得手段は、前記複数のフォーカス位置で撮影された前記第二の平面画像の各々から、前記設定手段による設定に用いる前記第二の平面画像を選択することを特徴とする請求項８に記載の眼科装置。
【請求項１０】
被検眼の眼底において視細胞が存在する領域と存在しない領域との境界を取得する境界取得手段と、
前記取得した境界を、前記被検眼の眼底において平面画像を撮影した撮影位置に対応づける位置合わせ手段と、
前記取得した視細胞の存在領域の境界に基づき、前記平面画像とは解像度において異なる第二の平面画像を取得する画像取得手段と、
を備えたことを特徴とする眼科装置。
【請求項１１】
前記境界は、前記被検眼についてのＯＣＴ断層像に基づいて取得することを特徴とする請求項１０に記載の眼科装置。
【請求項１２】
前記境界は、過去に取得した前記被検眼の平面画像より取得することを特徴とする請求項１０に記載の眼科装置。
【請求項１３】
前記境界が、過去に取得した複数の境界であることを特徴とする請求項１０に記載の眼科装置。
【請求項１４】
前記境界取得手段は、前記過去に取得した複数の境界の差分を解析対象領域として抽出することを特徴とする請求項１３に記載の眼科装置。
【請求項１５】
請求項１乃至１４の何れか一項に記載の眼科装置の各手段としてコンピュータを機能させるためのプログラム。
【請求項１６】
請求項１５に記載のプログラムを記憶した記憶媒体。
【請求項１７】
被検眼の眼底の平面画像を取得する画像取得工程と、
前記平面画像から、前記被検眼の視細胞が存在する存在領域と前記視細胞が存在しない領域との境界を取得する境界取得工程と、
複数の前記平面画像から取得した前記境界に基づき、前記眼底における前記視細胞の存在領域を設定する設定工程と、
を含むことを特徴とする眼科装置の制御方法。
【請求項１８】
請求項１７に記載の眼科装置の制御方法の各工程をコンピュータに実行させることを特徴とするプログラム。